(57)【要約】【課題】中高周波域での振動板の共振に起因する音質の低下を防止して高品質の音を再生すること、バランサ等の不要な構成を設けることなく単純な構成により高音質の音を再生すること等。【解決手段】スピーカ装置１００は、外周部８ｃがスピーカフレームに支持される振動板８と、振動板８に接合された振動源（ボイスコイル５，ボイスコイルボビン４）とを備え、振動板８は、振動源からの伝搬波を反射する反射部（リブ８１）を周方向に沿って備え、振動源と振動板の接合位置（内周部８ａ）から反射部までの距離が放射方向で不均一となるように、反射部が形成されている。【選択図】図２
2007306237.tif 000002
【特許請求の範囲】
【請求項１】
外周部がスピーカフレームに支持される振動板と、前記振動板に接合された振動源とを備えるスピーカ装置であって、
前記振動板は、前記振動源からの伝搬波を反射する反射部を周方向に沿って備え、前記振動源と前記振動板の接合位置から前記反射部までの距離が放射方向で不均一となるように、前記反射部が形成されていることを特徴とするスピーカ装置。
【請求項２】
前記反射部は、前記振動板に形成されたリブであり、当該リブの中心軸が、前記振動板の中心軸に対してずれて形成されていることを特徴とする請求項１に記載のスピーカ装置。
【請求項３】
前記リブは、当該リブの中心軸に対して同心円形状、又は同心楕円形状に形成されていることを特徴とする請求項２に記載のスピーカ装置。
【請求項４】
前記リブは、前記リブの中心軸に対して同心的に多角形状に形成されていることを特徴とする請求項２に記載のスピーカ装置。
【請求項５】
前記リブは、一つ又は複数個形成されていることを特徴とする請求項２に記載のスピーカ装置。
【請求項６】
前記振動板の中心軸は、前記振動板の内周部の中心軸と一致することを特徴とする請求項１から請求項５のいずれかに記載のスピーカ装置。
【請求項７】
前記反射部は、前記振動板の外周部であり、当該振動板の外周部の中心軸が、前記振動板の内周部の中心軸に対してずれて形成されていることを特徴とする請求項１に記載のスピーカ装置。
【請求項８】
前記振動板の外周部は、エッジ部を介してスピーカフレームに振動自在に支持され、
前記エッジ部の中心軸は、前記振動板の内周部の中心軸に一致することを特徴とする請求項７に記載のスピーカ装置。
【請求項９】
前記振動板は、コーン形状に形成されていることを特徴とする請求項１から請求項８のいずれかに記載のスピーカ装置。
【請求項１０】
外周部がスピーカフレームに支持されるスピーカ用振動板であって、
前記振動板は、当該振動板に接合される振動源からの伝搬波を反射する反射部を周方向に沿って備え、前記振動源と前記振動板の接合位置から前記反射部までの距離が放射方向で不均一となるように、前記反射部が形成されていることを特徴とするスピーカ用振動板。
【請求項１１】
前記反射部は、前記振動板に形成されたリブであり、当該リブの中心軸が、前記振動板の中心軸に対してずれて形成されていることを特徴とする請求項１０に記載のスピーカ用振動板。
【請求項１２】
前記反射部は、前記振動板の外周部であり、当該振動板の外周部の中心軸が、前記振動板の内周部の中心軸に対してずれて形成されていることを特徴とする請求項１０に記載のスピーカ用振動板。
【発明の詳細な説明】
【技術分野】
【０００１】
本発明は、スピーカ装置、およびスピーカ用振動板に関するものである。
【背景技術】
【０００２】
一般的な円錐形状（コーン状）振動板を備えるスピーカ装置では、振動板の外周部がエッジ部を介してスピーカフレームに振動自在に支持され、振動板の内周部がボイスコイルボビンに接合され、ボイスコイルボビンに巻装（巻回）されたボイスコイルが磁気回路の磁気ギャップ間に振動自在に配置されている。
【０００３】
上記構成のスピーカ装置では、ボイスコイルに音声信号を含む電気信号が入力されると、ボイスコイルに電磁気作用による駆動力が発生してボイスコイルが振動し、その振動がボイスコイルボビンおよび接合部を介して振動板に伝達されて振動板が振動し、振動板が振動することにより振動板周囲の空気等の音響媒体を振動させる。
【０００４】
振動板は、一般的に低周波域では剛体として駆動方向に沿ってピストン振動を行うが、中高周波域では振動板の中心部から周辺への振動伝搬時間が無視できなくなり分割共振が生じる。この分割共振により周波数特性上のディップやピークが生じて、再生音の音質が低下する場合がある。例えばこの原因としては、一般的なコーン状振動板の外周部、および振動板の内周部（ネック部）が同心円状に形成されているとともに、内周部から外周部に沿った母線の長さが全周に亘って同じ形状に形成されているために、振動板固有の分割共振が生じること等が挙げられる。
【０００５】
例えば特許文献１に開示された偏心スピーカでは、中心孔が偏心した形状の偏心コーン状振動板を採用することで、この振動板の分割共振に起因する周波数特性の劣化を防止している。
【０００６】
【特許文献１】特許第３４０５１６０号公報
【発明の開示】
【発明が解決しようとする課題】
【０００７】
上述したように一般的なスピーカでは、振動板の定在波の発生（分割共振）により、高周波領域において良好な周波数特性を得ることは困難であった。
【０００８】
また、上記特許文献１に開示された偏心スピーカでは、偏心コーン状振動板を採用することにより分割共振を低減するが、例えば偏心コーン状振動板の周方向の重量アンバランスを起因とするローリング現象の発生を低減させるために、コーン表面に別途バランサを貼着させる必要がある。
【０００９】
また、偏心スピーカでは、偏心コーン状振動板の内周部の中心軸と、振動板の外周部の中心軸がずれた形状となっているために、特殊な形状のスピーカフレームを用意する必要がある。またそのスピーカフレームに偏心コーン状振動板を組み立てる場合に、それぞれの偏心方向が一致するように位置決めを行う必要があった（方向性管理）。
【００１０】
本発明は、このような問題に対処することを課題の一例とするものである。すなわち、中高周波域での振動板の共振に起因する音質の低下を防止して高品質の音を再生すること、バランサ等の不要な構成を設けることなく単純な構成により高音質の音を再生すること、方向性管理等の煩雑な組立て工程を行うことなく、簡単な工程により上記特性のスピーカ装置を作製することができること、等が本発明の目的である。
【課題を解決するための手段】
【００１１】
このような目的を達成するために、本発明は、以下の各独立請求項に係る構成を少なくとも具備するものである。
【００１２】
請求項１に記載の発明は、外周部がスピーカフレームに支持される振動板と、前記振動板に接合された振動源とを備えるスピーカ装置であって、前記振動板は、前記振動源からの伝搬波を反射する反射部を周方向に沿って備え、前記振動源と前記振動板の接合位置から前記反射部までの距離が放射方向で不均一となるように、前記反射部が形成されていることを特徴とする。
【００１３】
請求項１０に記載の発明は、外周部がスピーカフレームに支持されるスピーカ用振動板であって、前記振動板は、当該振動板に接合される振動源からの伝搬波を反射する反射部を周方向に沿って備え、前記振動源と前記振動板の接合位置から前記反射部までの距離が放射方向で不均一となるように、前記反射部が形成されていることを特徴とする。
特徴とする。
【００１４】
請求項１０に記載の発明は、外周部がスピーカフレームに直接又は間接的に振動自在に支持されるスピーカ用振動板であって、前記振動板は、リブを備え、当該リブの中心軸が、前記振動板の中心軸に対してずれて形成されていることを特徴とする。
【００１５】
請求項１１に記載の発明は、外周部がスピーカフレームに直接又は間接的に振動自在に支持されるスピーカ用振動板であって、前記内周部の中心軸が、前記外周部の中心軸に対してずれて形成されていることを特徴とする。
【発明を実施するための最良の形態】
【００１６】
本発明の一実施形態に係るスピーカ装置は、外周部がスピーカフレームに支持される振動板と、振動板に接合された振動源とを備えるスピーカ装置であって、振動板は、振動源からの伝搬波を反射する反射部を周方向に沿って備え、振動源と振動板の接合位置から反射部までの距離が放射方向で不均一となるように、反射部が形成されている。例えば反射部としては、振動板の外周部であり、当該振動板の外周部の中心軸が、振動板の内周部の中心軸に対してずれて形成されている。また反射部としては、振動板の外周部であり、当該振動板の外周部の中心軸が、振動板の内周部の中心軸に対してずれて形成されている。
【００１７】
上記構成のスピーカ装置では、振動源と振動板の接合位置から反射部までの距離が放射方向で不均一となるように形成されているので、振動源からの伝搬波が反射部により不均一に反射して、振動板に定在波が形成されることを低減する。つまり振動板固有の共振を分散することができる。このため中高周波域での振動板の共振に起因する音質の低下を防止して高品質の音を再生することができる。またバランサ等の不要な構成を設けることなく単純な構成により高音質の音を再生することができる。また、方向性管理等の煩雑な組立て工程を行うことなく、簡単な工程により上記特性のスピーカ装置を作製することができる。
【００１８】
以下、本発明の一実施形態に係るスピーカ装置およびスピーカ用の振動板を図面を参照しながら説明する。
【００１９】
［第１実施形態］
図１は、本発明の第１実施形態に係るスピーカ装置１００を説明するための図である。詳細には図１（Ａ）はスピーカ装置１００の上面図であり、図１（Ｂ）は図１（Ａ）に示したスピーカ装置１００のＡ−Ａ線に沿った断面図である。図２は本発明の第１実施形態に係るスピーカ装置１００の動作及び効果を説明するための図である。詳細には図２（Ａ）は図１（Ａ）に示したスピーカ装置の上面図であり、図２（Ｂ）は図２（Ａ）に示したスピーカ装置の振動板近傍のＡ−Ａ線に沿った拡大断面図である。図３（Ａ）は比較例のスピーカ装置１００ｊの上面図であり、図３（Ｂ）は図３（Ａ）に示した比較例のスピーカ装置１００ｊの振動板付近のＡ−Ａ線に沿った拡大断面図である。
【００２０】
各図面において、スピーカ装置１００の中心軸８００をｚ軸、中心軸８００に直交する所定の径方向をｘ軸、ｘ軸及びｚ軸に直交する径方向をｙ軸とする。また各図面において、振動板８の放音側を正面側又は上側とし、それに対して反対側を背面側又は裏面側あるいは下側という。
【００２１】
本発明の第１実施形態に係るスピーカ装置１００は、図１，図２に示すように、スピーカ装置１００の中央部に立設するポール部１ａ及び当該ポール部１ａの基端部１ｂ、基端部１ｂから径方向外側に向かって広がるボトムヨーク１ｃが一体成形されたヨーク１と、ボトムヨーク１ｃの平坦面部１ｄ上に配置されるとともにポール部１ａの周囲に同軸状に形成された例えば永久磁石や電磁石等からなる環形状の磁石２と、ポール部１ａの周囲に同軸状に形成されるとともに磁石２上に配設された環形状のプレート３とを有する。磁気回路１０１は、上記ヨーク１、磁石２、及びプレート３を有する。この磁気回路１０１は、ポール部１ａの外周面部と、プレート３の内周面部との間に磁気ギャップ１０２を形成する。
【００２２】
また、スピーカ装置１００では、磁気回路１０１の磁気ギャップ１０２内に、ボイスコイルボビン４の下部近傍に巻装（巻回）されたボイスコイル５が配置されている。このボイスコイルボビン４は、例えばスパイダ等のダンパ部材６により、ボイスコイルボビン４の中心軸８００（ポール部１ａの中心軸方向（ｚ軸方向）と一致）に沿って振動自在にスピーカフレーム（フレーム）７に支持されている。
【００２３】
ボイスコイル５（ボイスコイルボビン４）は本発明の振動源の一実施形態に相当する。
【００２４】
またボイスコイルボビン４の上端部近傍には、振動板８の中央開口部８０の内周部８ａが接合されている。詳細には振動板８の内周部８ａには、コーンネック部８ｂが形成され、このコーンネック部８ｂは、ボイスコイルボビン４の外側面に沿って筒形状に形成されている。
【００２５】
また振動板８には、このコーンネック部８ｂから中心軸８００に対して半頂角θ１の傾斜面部を備える胴体部８ｄが形成され、振動板８の外周部８ｃが直接又は間接的に（例えばエッジ部９を介して）フレーム７の平坦部７ａ上に振動自在に支持されている。フレーム７の下部には磁気回路１０１が固定されている。本実施形態では磁気回路１０１のプレート３にフレーム７の端部が固定されている。
【００２６】
また図１，図２に示すように、フレーム７の中心軸と、ボイスコイルボビン４の中心軸と、振動板８の内周部８ａの中心軸８００と、振動板８のコーンネック部８ｂの中心軸と、振動板８の外周部８ｃの中心軸とが同一軸上に位置するように形成されている。つまりそれぞれが同心状に形成されている。
【００２７】
また振動板８の内周部８ｂと外周部８ｃ間の胴体部８ｄにはリブ８１が形成されている。リブ８１は、振動板８の表面側又は裏面側に周方向に沿って形成されるとともに、径方向断面形状が凸状、凹状、波形状などの各種規定形状に形成されている。リブ８１は、例えば振動板８のスチフネスや内部損失を変化させるとともに、振動板８の強度を増加させる。リブ８１は本発明に係る反射部の一実施形態に相当し、また本発明に係るリブの一実施形態に相当する。リブ８１の詳細については後述する。
【００２８】
次にエッジ部９について説明する。エッジ部９は、例えば環形状に形成され、振動板８の動きに対して柔軟に動くように形成されている。この振動板８は、例えば振動板８の音響的な振動の終端としての機能、振動板８の外周部８ｃを支持して規定された位置に保持する機能、振動板８の横揺れに対して制動する機能、振動板８背面の音放射の音波が前面の音波に干渉しないように遮蔽する機能などを有する。
【００２９】
エッジ部９は、詳細には図１，図２に示すように、内周側接合部９１、外周側接合部９２、およびロール部９３を有する。またエッジ部９は、内周側接合部９１、外周側接合部９２、およびロール部９３が環状に一体成形されている。内周側接合部９１は、環形状に形成され、振動板８の外周部８ｃ近傍の接合部８ｅに接着材等により固着されている。例えば図４（Ａ）に示すように、振動板８の外周部８ｃ近傍の背面側に、エッジ部９の内周側接合部９１が固着されていてもよいし、図４（Ｂ）に示すように、振動板８の外周部８ｃ近傍の正面側に、エッジ部９の内周側接合部９１が固着されてもよい。外周側接合部９２は、環形状に形成されており、フレーム７の上部近傍に接着材等により固着されている。ロール部９３は、内周側接合部９１と外周側接合部９２の間に備えられ、径方向断面が凸形状、凹形状、波形状など各種形状に形成されるとともに、周方向に沿って一周する環形状に形成されている。本実施形態に係るエッジ部９は、エッジ部９の外径９２ａおよび内径９１ａの中心軸、並びにロール部９３の外径部９３ａ及び内径部９３ｂの中心軸が、ボイスコイルボビン４の中心軸８００（ボイスコイルボビン４の振動方向）と同一軸となるように形成されている。上述したスピーカ装置１００では、振動板８がエッジ部９を介してフレーム７に振動自在に支持されていたが、この形態に限られるものではない。フェイクドエッジのように、エッジ部と振動板とを同一材料にて一体成形した形態であってもよい。
【００３０】
また上述したスピーカ装置１００では、振動板８には中央開口部８ａが形成されていたが、この形態に限られるものではない。例えば中央開口部８ａが形成されていなくてもよく、振動源であるボイスコイル５や、ボイスコイル５が巻装（巻回）されたボイスコイルボビン４等が、振動板８の中央部や内周部に接合されていればよい。
【００３１】
また本実施形態では、振動板８には、中心軸８００に対して半頂角θ１の傾斜面部を備える胴体部８ｄ、いわゆるフラットコーンを採用したがこの形態に限られるものではない。振動板８として例えばカーブドコーン、パラボリックコーンなどの各種状の振動板を採用してもよい。
【００３２】
上記構成のスピーカ装置１００では、例えばフレーム７に配置された外部端子（不図示）に音声信号を含む電気信号が入力されると、その電気信号が外部端子から錦糸線（不図示）を介してボイスコイル５に入力され、そのボイスコイル５に電磁気作用により駆動力が発生する。ボイスコイル５の駆動力により、図１（Ｂ）に示すように、ボイスコイルボビン４が中心軸８００（図ではｚ軸方向）に沿って振動する。振動板８は、内周部８ｂに接合されたボイスコイルボビン４の上端部近傍４ａを介して振動板８を振動し、振動板８が振動することにより振動板周囲の空気等の音響媒体を振動させる。
【００３３】
［比較例］
次に比較例として、コーン状振動板にリブが同心状に形成された振動板８ｊを説明する。図３（Ａ），図３（Ｂ）に示すように、コーン状振動板８ｊは、振動板８ｊの胴体部に複数のリブ８１ｊ（８１１ｊ，８１２ｊ，８１３ｊ）が周方向に沿って、全周に亘って円形状に形成されている。この振動板８ｊは、振動板８ｊの中心軸８００と、リブ８１ｊの中心軸とが、同一軸上に位置するように形成されている。つまり同心状に形成されている。また詳細には図３（Ａ），（Ｂ）に示すように、第１のリブ８１１ｊが中心軸８００から径方向（中心軸８００に直交する規定方向、例えばｘ軸）に沿って半径ｒ８１１ｊ、第２のリブ８１２ｊが半径ｒ８１２ｊ、第３のリブ８１３ｊが半径ｒ８１３ｊの円形状に形成されている。また例えば振動板８ｊの内周部８ａを基準とした場合に、第１のリブ８１１ｊ，第２のリブ８１２ｊ，第３のリブ８１３ｊのｚ軸方向に沿った長さ（高さ）ｈ８１１ｊ，ｈ８１２ｊ，ｈ８１３ｊそれぞれは、全周に亘って一定となっている。上記構成の振動板８ｊでは、図３（Ａ），（Ｂ）に示すように、振動板８ｊの内周部８ａ（コーンネック部８ｂ）から、振動板８ｊの胴体部の傾斜面部に沿った各リブ８１ｊまでの距離は均一であるので、振動板８ｊに固有の定在波が形成され、分割共振が生じる。このため音圧の中高周波数域にピーク・ディップが生じる場合がある。
【００３４】
［本発明に係るスピーカ装置１００］
次に本発明に係る特徴部分である振動板８の反射部等について、図面を参照しながら詳細に説明する。
【００３５】
本発明の第１実施形態に係るスピーカ装置１００は、振動板８の反射部として、例えば周方向に沿って形成されたリブ８１を有し、そのリブ８１が、振動源（ボイスコイル５が巻装（巻回）されたボイスコイルボビン４）が接合された振動板８の内周部８ｂ（接合位置）から、リブ８１までの距離（長さ）が放射方向で不均一となるように形成されている。例えばリブ８１は、振動源の接合位置からリブ８１までの距離（長さ）が放射方向で、全周のうち少なくとも一部が不均一となるように形成してもよい。
【００３６】
詳細には振動板８には、図１，図２に示すように、胴体部８ｄに複数のリブ８１（８１１，８１２，８１３）が正面視した場合（例えば＋ｚ軸側から正面視した場合）に円形状に形成され、振動板８の中心軸８００と、円形状のリブ８１の中心軸と８１０がずれた位置関係となるように形成されている。
【００３７】
詳細には、振動板８の胴体部８ｄに、複数のリブ８１ｊ（８１１ｊ，８１２ｊ，８１３ｊ）の中心軸８１０が、振動板８の中心軸８００に対して、規定方向（例えば−ｘ軸方向）に規定距離ｄＬ８だけずれて形成されている。本実施形態ではリブ８１の中心軸８１０と、振動板８の中心軸８００とは平行な位置関係となっている。
【００３８】
また第１のリブ８１１ｊは中心軸８１０から径方向（ｘ軸）に沿って半径ｒ８１１、第２のリブ８１２は中心軸８１０から径方向（ｘ軸）に沿って半径ｒ８１２、第３のリブ８１３は中心軸８１０から径方向（ｘ軸）に沿って半径ｒ８１３となるように形成されている。
【００３９】
しかし、振動板８の内周部８ａから、振動板８の胴体部８ｄに沿ったリブ８１（８１１，８１２，８１３）までの距離ｄ８１（ｄ８１１，ｄ８１２，ｄ８１３）は放射方向で不均一となっている。具体的には、振動板８の内周部８ａから、振動板８の胴体部８ｄの放射方向に沿ったリブ８１（８１１，８１２，８１３）までの距離ｄ８１（ｄ８１１，ｄ８１２，ｄ８１３）は、＋ｘ軸側と比べて−ｘ軸側のほうが長い。
【００４０】
より具体的には、例えば図２（Ｂ）に示すように、＋ｚ軸側から平面視した場合に、振動板８の中心軸８００から、第１のリブ８１までの径方向（−ｘ軸）に沿った長さｓ８１１より、振動板８の中心軸８００から、第１のリブ８１までの径方向（＋ｘ軸）に沿った長さｓ８１１’が短い。また振動板８の中心軸８００から、第２のリブ８２までの径方向（−ｘ軸）に沿った長さｓ８１２より、振動板８の中心軸８００から、第２のリブ８２までの径方向（＋ｘ軸）に沿った長さｓ８１２’が短い。また振動板８の中心軸８００から、第３のリブ８３までの径方向（−ｘ軸）に沿った長さｓ８１３より、振動板８の中心軸８００から、第３のリブ８３までの径方向（＋ｘ軸）に沿った長さｓ８１３’が短い。
【００４１】
また例えば図２（Ｂ）に示すように、振動板８の内周部８ａを基準とした場合に、第１のリブ８１１，第２のリブ８１２，第３のリブ８１３のｚ軸方向に沿った長さ（高さ）ｈ８１１，ｈ８１２，ｈ８１３は、不均一となっている。
【００４２】
具体的には、例えば図２（Ｂ）に示すように、振動板８の内周部８ａを基準とした場合に、第１のリブ８１１のｚ軸方向に沿った長さ（高さ）ｈ８１１は、＋ｘ軸側と比べて−ｘ軸側のほうが長い。また第２のリブ８１２のｚ軸方向に沿った長さ（高さ）ｈ８１２は、＋ｘ軸側と比べて−ｘ軸側のほうが長い。また第３のリブ８１３のｚ軸方向に沿った長さ（高さ）ｈ８１３は、＋ｘ軸側と比べて−ｘ軸側のほうが長い。
【００４３】
以上説明したように、上記構成のスピーカ装置１００では、振動板８の内周部８ａから、振動板８の胴体部８ｄの放射方向に沿ったリブ８１（８１１，８１２，８１３）までの距離ｄ８１（ｄ８１１，ｄ８１２，ｄ８１３）が不均一となっているので、リブ８１が振動板８の伝搬波を不均一に反射するので、振動板８に固有の共振を分散することができる。このため、中高周波域での振動板の共振に起因する音質の低下を防止して高品質の音を再生することができる。つまりスムーズな音圧の周波数特性を得ることができる。
【００４４】
また従来の偏心スピーカ装置のようにバランサ等の不要な構成を設けることなく、本発明に係るスピーカ装置１００では、単純な構成により高音質の音を再生することができる。
【００４５】
また、本実施形態に係るスピーカ装置１００は、フレーム７の中心軸と、エッジ部９の中心軸と、ボイスコイルボビン４の中心軸と、振動板８の内周部８ａの中心軸８００と、コーンネック部８ｂの中心軸と、外周部８ｃの中心軸とが同一軸上に位置するように形成されている。つまりそれぞれが同心状に形成されている。例えば従来の偏心スピーカ装置では、偏心コーン状振動板に対応した特殊形状のスピーカフレームや磁気回路を新たに製造する必要があり、また組立時に偏心コーン状振動板の偏心方向を考慮した位置決め、つまり方向性管理を行う必要がある。一方、上述したように本発明に係るスピーカ装置１００では、上記一般的な同心状のフレーム７、エッジ部９、ボイスコイルボビン４、磁気回路１０１とを用いることができるので、製造コストを低減することができる。また振動板８の内周部８ａや外周部８ｃが同心状に形成されているので、方向性管理等の余計な工程を行うことなく、簡単にスピーカ装置１００を作製することができる。
【００４６】
またリブ８１は、上記形態に限られるものではない。例えば図５（Ａ）に示すように、リブ８１は、振動板８の放音側に向かって径方向断面形状が凸状に形成されるとともに中空状に形成されていてもよい。また図５（Ｂ）に示すように、リブ８１は放音側に向かって径方向断面形状が凸状に形成されるとともに中密状に形成されていてもよい。また図５（Ｃ）に示すように、リブ８１は裏面側に向かって径方向断面形状が凸状に形成されるとともに中空状に形成されていてもよい。また図５（Ｄ）に示すように、リブ８１は裏面側に向かって径方向断面形状が凸状に形成されるとともに中密状に形成されていてもよい。
【００４７】
また、上記実施形態に係るリブ８１は、例えば振動板８の放音側からの正面視において円形状に形成されていたが、このリブ８１の正面視の形状は、例えばリブの中心軸に対して同心的に、略円形状、略楕円形状、略３角形状、４角形状、多角形状等の各種形状に形成されていてもよい。
【００４８】
またリブ８１は、上述したように、リブ８１の中心軸８１０が、振動板８の中心軸８００に対してずれて形成されているが、リブの中心軸８１０のずれの方向や大きさは、例えば指向性や周波数特性などの各種条件により適宜設定される。
【００４９】
また上述したように、リブ８１は、振動板８の中心軸８００に対して、−ｘ軸側に向かって規定距離ｄＬ８だけずれて形成されていたが、ずれの方向や大きさは各種条件により適宜設定されることが好ましい。
【００５０】
［第１具体例］
図６，図７は、本発明に係るリブ８１の他の具体例を説明するための図である。
【００５１】
図６（Ａ），（Ｂ）は、本発明の第１具体例に係る振動板８Ａを説明するための図である。
【００５２】
上記実施形態では振動板８に、複数のリブ８１（８１１〜８１３）が形成され、複数のリブ８１１〜８１３の中心軸が、それぞれ同じ大きさ及びずれ量となる形状に形成されていたが、この形態に限られるものではない。例えば複数のリブのうち規定されたリブが、複数のリブの中心軸のずれの大きさや方向が、異なっていてもよい。
【００５３】
例えば図６（Ａ），（Ｂ）に示すように、振動板８Ａに複数のリブ８１が設けられ、振動板８の中心軸８００に対して、各リブのずれの方向及びずれ量が異なるように形成されていてもよい。
【００５４】
詳細には、第１具体例に係るリブ８１Ａは、第１のリブ８１１Ａ、第２のリブ８１２Ａ、及び第３のリブ８１３Ａを有する。第１のリブ８１１Ａは、平面視で円形状に形成された最内側のリブである。第１のリブ８１１Ａの中心軸８１１０Ａが、振動板８Ａの中心軸８００に対して距離ｄＬ８１ａだけ＋ｘ軸方向にずれて形成されている。第２のリブ８１２Ａは、平面視で円形状に形成されるとともに、第１のリブ８１１Ａの外側に形成されており、第２のリブ８１２Ａの中心軸８１２０Ａが、振動板８Ａの中心軸８００に対して距離ｄＬ８２ａだけ＋ｘ軸方向にずれて形成されている。第３のリブ８１３Ａは、平面視で円形状に形成されるとともに、第２のリブ８１２Ａより外側に形成された最外側のリブである。第３のリブ８１３Ａの中心軸８１３０Ａが、振動板８Ａの中心軸８００に対して距離ｄＬ８３ａだけ−ｘ軸方向にずれて形成されている。
【００５５】
以上説明したように第１具体例に係る振動板８Ａでは、複数のリブのうち規定されたリブが、期待された複数のリブの中心軸のずれの大きさや方向が、異なって形成されているので振動板８の内周部８ａから、径方向に向かって胴体部に沿った、各リブまでの距離が、全周に亘って少なくとも一部が不均一となるように形成されているので、振動板固有の定在波の共振をより分散することができる。
【００５６】
［第２具体例］
図７（Ａ），（Ｂ）は、本発明の第２具体例に係る振動板８Ｂを説明するための図である。図７（Ａ），（Ｂ）に示すように、振動板８Ｂには、複数のリブ８１が設けられ、各リブのずれの方向及びずれ量が異なり、正面視した場合、第１及び第２リブ８１１Ｂの形状が略楕円形状に形成されている。
【００５７】
例えば第２具体例に係るリブ８１Ｂは、第１のリブ８１１Ｂ、第２のリブ８１２Ｂ、及び第３のリブ８１３Ｂを有する。
【００５８】
第１のリブ８１１Ｂは、平面視で楕円形状に形成された最内側のリブである。第１のリブ８１１Ｂの中心軸８１１０Ｂが、振動板８の中心軸８００に対して距離ｄＬ８１ｂだけ−ｘ軸方向および−ｙ軸方向にずれて形成されている。
【００５９】
第２のリブ８１２Ｂは、平面視で楕円形状に形成されるとともに、第１のリブ８１１Ｂの外側に形成されており、第２のリブ８１２Ｂの中心軸８１２０Ｂが、振動板８の中心軸８００に対して距離ｄＬ８２ｂだけ−ｘ軸方向にずれて形成されている。
【００６０】
第３のリブ８１３Ｂは、平面視で円形状に形成されるとともに、第２のリブ８１２Ｂより外側に形成された最外側のリブである。第３のリブ８１３Ｂの中心軸８１３０Ｂが、振動板８の中心軸８００に対して距離ｄＬ８３ｂだけ−ｘ軸方向にずれて形成されている。
【００６１】
以上説明したように第２具体例に係る振動板８Ｂでは、複数のリブのうち規定されたリブの中心軸のずれの大きさや方向が異なって形成され、楕円形状に形成されているので、振動板８の内周部８ａから、径方向に向かって胴体部に沿った、各リブまでの距離が、全周に亘って少なくとも一部が不均一となり、より共振を分散することができる。
【００６２】
［第２実施形態］
図８は、本発明の第２実施形態に係るスピーカ装置を説明するための図である。詳細には図８（Ａ）はスピーカ装置の上面図であり、図８（Ｂ）は図８（Ａ）に示したスピーカ装置のＡ−Ａ線に沿った断面図である。第１実施形態と同様な構成及び効果等については説明を省略する。
【００６３】
本実施形態に係るスピーカ装置１００Ｃは、図８（Ａ），（Ｂ）に示すように、＋ｚ軸方向からの平面視において、リブ８１ｃの中心軸８１０ｃが、コーン状振動板８の中心軸８００に対してずれて形成されるとともに、振動板８の内周部８ａから、中心軸８００に沿った距離ｈ（高さともいう）が一定である。詳細には、リブ８１ｃの突起部の大きさが、全周のうち少なくとも一部が不均一となるように形成されている。
【００６４】
本実施形態に係る振動板８Ｃは、図８に示すように、複数のリブ８１Ｃ（８１１Ｃ，８１２Ｃ）が形成されている。詳細には振動板８Ｃでは、図８に示すように、リブ８１Ｃの中心軸８１０ｃが振動板８の中心軸８００に対して、−ｘ軸方向に規定距離だけずれて形成されている。具体的には振動板８の中心軸８００に対する、リブ８１の中心軸８１０ｃのずれ方向側（−ｘ軸方向側）のリブ８１１ＣＬの突起部の大きさは、ずれに対する反対方向側（＋ｘ軸方向側）のリブ８１１ＣＲの突起部の大きさと比べて小さい。
【００６５】
また本実施形態に係る振動板８Ｃでは、２つのリブ８１１Ｃ，８１２Ｃが同一の中心軸８１０Ｃとなるように形成されている。
【００６６】
上記構成の振動板８Ｃを備えるスピーカ１００Ｃでは、例えば内周部８ａに接合されたボイスコイルボビン４が振動した場合に中高域の振動については、その振動が内周部８ａから径方向に向けて振動が伝わり、リブ８１Ｃの突起の大きさが、全周のうち少なくとも一部が不均一となるように形成されており、具体的にはリブ８１Ｃの突起の大きさが、全周のうち少なくとも一部が不均一となるように形成されているので、より具体的には内周部８ａからリブ８１Ｃの突起先端部までの距離が異なるので、例えば同心状にリブが形成された従来のコーン状振動板と比べて、共振が低減する。
【００６７】
以上説明したように、本実施形態に係るスピーカ装置１００の振動板８は、リブ８１Ｃの突起の大きさが、全周のうち少なくとも一部が不均一となるように形成されており、具体的にはリブ８１Ｃの突起の大きさが、全周のうち少なくとも一部が不均一となるように形成されているので、共振が低減して、音圧の周波数特性の中高周波数域のディップやピークを低減することができる。
【００６８】
［第３具体例］
図９は、本発明の第３具体例に係るスピーカ装置１００Ｄを説明するための図である。詳細には図９（Ａ）はスピーカ装置１００Ｄの上面図であり、図９（Ｂ）は図９（Ａ）に示したスピーカ装置のＡ−Ａ線に沿った断面図である。
【００６９】
上記第２実施形態に係る振動板８Ｃでは、複数のリブ８１１Ｃ，８１２Ｃの中心軸が、振動板８の中心軸８００に対して同方向に同じずれ量にてずれて形成されていたが、この形態に限られるものではない。コーン状振動板に複数のリブを設け、その複数のリブのうち少なくとも一つのリブの中心軸のずれが、他のリブの中心軸のずれと異なるように形成してもよい。また複数のリブそれぞれの中心軸のずれの方向や大きさが異なるように形成してもよい。
【００７０】
例えば図９（Ａ），（Ｂ）に示すように、本発明の第３具体例に係るスピーカ装置１００Ｄは、振動板８Ｄには＋ｚ軸方向からの平面視において、略円形状の複数のリブ８１Ｄ（８１１Ｄ，８１２Ｄ）が形成されており、第１のリブ８１１Ｄの中心軸８１０Ｄが、振動板８の中心軸８００に対して、−ｘ軸側に規定距離だけずれて形成され、第２のリブ８１２Ｄの中心軸は、コーン状振動板８の中心軸と略同一となるように形成されている。
【００７１】
上記構成のスピーカ装置１００Ｄでは、振動板８Ｄにおいて、２つのリブ８１１Ｄ，８１２Ｄのうち、一つのリブ８１１Ｄの中心軸８１０Ｄが、振動板８の中心軸８００に対して、規定方向（例えば−ｘ軸方向）に所定距離だけずれて形成されており、リブ８１２Ｄの中心軸は振動板８Ｄの中心軸８００と略同一となるように形成されている。
【００７２】
また上記構成のスピーカ装置１００Ｄでは、２つのリブのうち一つのリブの中心軸のみが、振動板８Ｄの中心軸からずれて形成されているので、単純に同心状にリブを設けた場合と比べて、リブ８１１Ｄの先端部から振動板に沿ってリブ８１２Ｄの先端部までの距離が、全周に亘って少なくとも一部が不均一となるので、振動板固有の共振が低減される。このため振動板の音圧周波数特性において、中高周波域のピーク・ディップを低減することができる。
【００７３】
［第４具体例］
図１０は本発明の第４具体例に係るスピーカ装置１００Ｅを説明するための図である。詳細には図１０（Ａ）はスピーカ装置１００Ｄの上面図であり、図１０（Ｂ）は図１０（Ａ）に示したスピーカ装置１００ＥのＡ−Ａ線に沿った断面図である。上述した実施形態および具体例と同一の構成や効果などについては説明を省略する。
【００７４】
第４具体例に係るスピーカ装置１００Ｅは、図１０（Ａ），（Ｂ）に示すように、振動板８Ｅに複数のリブ８１Ｅ（８１１Ｅ，８１２Ｅ，８１３Ｅ）を有し、リブ８１１Ｅ〜８１３Ｅそれぞれの中心軸が８１０Ｅが規定方向（−ｘ軸方向）に沿って規定距離だけずれて形成されている。
【００７５】
上記構成のスピーカ装置１００Ｅでは、振動板８Ｅはリブの大きさが不均一な３つのリブ８１１Ｅ〜８１３Ｅを設けたので、単純に２つのリブを設けた場合と比べて、振動板固有の共振をより低減することができる。また振動板８Ｅに３つ以上の複数のリブを設けることにより、さらに振動板固有の共振を低減することができる。
【００７６】
［第５具体例］
図１１は本発明の第５具体例に係るスピーカ装置１００Ｆを説明するための図である。詳細には図１１（Ａ）はスピーカ装置１００Ｆの上面図であり、図１１（Ｂ）は図１１（Ａ）に示したスピーカ装置１００ＦのＡ−Ａ線に沿った断面図である。上述した実施形態および具体例と同一の構成や効果などについては説明を省略する。
【００７７】
第５具体例に係るスピーカ装置１００Ｆは、図１１（Ａ），（Ｂ）に示すように、振動板８Ｆに複数のリブ８１Ｆ（８１１Ｆ，８１２Ｆ）を有し、リブ８１１Ｆ，８１２Ｆそれぞれの中心軸が８１０Ｆが規定方向（−ｘ軸方向）に沿って規定距離だけずれて形成されている。
【００７８】
本具体例に係るリブ８１Ｆは、リブの突起形状が前述実施形態と比べて、鋭い突起形状に形成されている。詳細にはリブ８１Ｆは、径方向断面形状が３角形状等の多角形状等に形成されている。
【００７９】
上記スピーカ装置１００Ｆでは、振動板８に鋭い突起形状のリブ８１Ｆを有するので、例えばリブを所望の突起形状に形成することにより、所望の周波数特性や指向性などを容易に得ることができる。また振動板８の共振を低減することができる。
【００８０】
［第６具体例］
図１２は本発明の第６具体例に係るスピーカ装置１００Ｇを説明するための図である。詳細には図１２（Ａ）はスピーカ装置１００Ｇの上面図であり、図１２（Ｂ）は図１２（Ａ）に示したスピーカ装置１００ＧのＡ−Ａ線に沿った断面図である。上述した実施形態および具体例と同一の構成や効果などについては説明を省略する。
【００８１】
第６具体例に係るスピーカ装置１００Ｇは、振動板８Ｇに複数のリブ８１Ｇ（８１１Ｇ，８１２Ｇ）を有し、図１２（Ａ）に示すように、＋ｚ軸方向から正面視した場合に略楕円形状に形成され、例えば規定方向（例えばｘ軸方向）に沿って長軸が形成され、ｙ軸方向に沿って短軸が形成され、リブ８１１Ｇ，８１２Ｇそれぞれの重心８１０Ｇが、振動板８Ｇの中心軸８００に対して、規定方向（−ｘ軸方向）に沿って規定距離だけずれて形成され、図１２（Ｂ）に示すように、振動板８Ｇの内周部８ａからｚ軸方向に沿った距離（高さ）が略同じとなる形状に形成されている。
【００８２】
また本具体例に係る振動板８Ｇでは、内周部８ａが＋ｚ軸方向から平面視した場合に中心軸８００を中心として円形状に形成されており、外周部８ｃが略楕円形状に形成されており、規定方向（例えばｘ軸方向）に沿って長軸が形成されている。また外周部８ｃの重心８００Ｇは、図１２（Ａ），（Ｂ）に示すように、内周部８ａの中心軸８００からずれて形成されていてもよいし、中心軸８００上に形成してもよい。
【００８３】
また上述した振動板８Ｇの外周部８ｃは、略楕円形状に形成されていたが、円形状に形成されていてもよいし、各種形状に形成されていてもよい。
【００８４】
上記構成のスピーカ装置１００Ｇでは、外周部８ｃが略楕円形状のコーン状振動板８Ｇに、楕円形状のリブ８１Ｇを設けることにより、振動板８Ｇの内周部８ａから、リブ８１Ｇまでの距離、詳細にはリブ８１Ｇの突起部の先端部までの距離が、全周のうち少なくとも一部が不均一となるので、その振動板８Ｇに固有の共振を低減することができる。またリブ８１Ｇの重心のずれの大きさや方向は、上記具体例に限られるものではなく、各種条件に応じて設定することができる。
【００８５】
［第７具体例］
図１３は本発明の第７具体例に係るスピーカ装置１００Ｈを説明するための図である。詳細には図１３（Ａ）はスピーカ装置１００Ｈの上面図であり、図１３（Ｂ）は図１３（Ａ）に示したスピーカ装置１００ＨのＡ−Ａ線に沿った断面図である。上述した実施形態および具体例と同一の構成や効果などについては説明を省略する。
【００８６】
第７具体例に係るスピーカ装置１００Ｈは、図１３（Ａ），（Ｂ）に示すように、第６具体例と比べて、振動板８Ｈに形成されたリブ８１Ｈの突起形状が丸角形状に形成されている。
【００８７】
上記構成のスピーカ装置１００Ｈでは、第６具体例と比べて、振動板８Ｈに上記形状のリブ８１Ｈが形成されているので、振動板８Ｈの内周部８ａから、リブ８１Ｈまでの距離、詳細にはリブ８１Ｈの突起部の先端部までの距離が長くなるとともに、全周のうち少なくとも一部が不均一となるので、その振動板８Ｈに固有の共振を低減することができる。
【００８８】
［第３実施形態］
図１４は、本発明の第３実施形態に係るスピーカ装置１００Ｋを説明するための図である。詳細には図１４（Ａ）はスピーカ装置１００Ｋの上面図であり、図１４（Ｂ）は図１４（Ａ）に示したスピーカ装置１００ＫのＡ−Ａ線に沿った断面図である。図１５は本発明の第３実施形態に係るスピーカ装置１００Ｋの動作及び効果を説明するための図である。詳細には図１５（Ａ）は図１４（Ａ）に示したスピーカ装置１００Ｋの上面図であり、図１５（Ｂ）は図１５（Ａ）に示したスピーカ装置１００Ｋの振動板近傍のＡ−Ａ線に沿った拡大断面図である。図１６（Ａ）は、比較例のスピーカ装置１００Ｊの上面図であり、図１６（Ｂ）は図１６（Ａ）に示した比較例のスピーカ装置１００ｊの振動板付近のＡ−Ａ線に沿った断面図である。
【００８９】
各図面において、スピーカ装置１００Ｋの中心軸８００をｚ軸、中心軸８００に直交する所定の径方向をｘ軸、ｘ軸及びｚ軸に直交する径方向をｙ軸とする。また各図面において、振動板の放音側を正面側又は上側とし、それに対して反対側を背面側又は裏面側あるいは下側という。
【００９０】
本発明の第３実施形態に係るスピーカ装置１００Ｋは、図１４，図１５に示すように、スピーカ装置１００Ｋの中央部に立設するポール部１ａ及び当該ポール部１ａの基端部、基端部１ｂから径方向外側に向かって広がるボトムヨーク１ｃが一体成形されたヨーク１と、ボトムヨーク１ｃの平坦面部１ｄ上に配置されるとともにポール部１ａの周囲に同軸状に形成された例えば永久磁石や電磁石等からなる環形状の磁石２と、ポール部１ａの周囲に同軸状に形成されるとともに磁石２上に配設された環形状のプレート３とを有する。磁気回路１０１は、上記ヨーク１、磁石２、及びプレート３を有する。この磁気回路１０１は、ポール部１ａの外周面部と、プレート３の内周面部との間に磁気ギャップ１０２を形成する。
【００９１】
また、スピーカ装置１００Ｋでは、磁気回路１０１の磁気ギャップ１０２内に、ボイスコイルボビン４の下部近傍に巻装（巻回）されたボイスコイル５が配置されている。このボイスコイルボビン４は、例えばスパイダ等のダンパ部材６により、ボイスコイルボビン４の中心軸８００（ポール部１ａの中心軸方向（ｚ軸方向）と一致）に沿って振動自在にスピーカフレーム（フレーム）７に支持されている。
【００９２】
またボイスコイルボビン４の上端部近傍には、振動板８Ｋの中央開口部８０の内周部８ａが接合されている。詳細には振動板８の内周部８ａには、コーンネック部８ｂが形成され、このコーンネック部８ｂは、ボイスコイルボビン４の外側面に沿って筒形状に形成されている。
【００９３】
また振動板８Ｋは、このコーンネック部８ｂから中心軸８００に対して半頂角θ１の傾斜面部を備える胴体部８ｄが形成され、振動板８Ｋの外周部８ｃは直接又は間接的に（例えばエッジ部９を介して）フレーム７の平坦部７ａ上に接続されている。フレーム７の下部には磁気回路１０１が固定されている。本実施形態では磁気回路１０１のプレート３にフレーム７の端部が固定されている。
【００９４】
また図１４，図１５に示すように、フレーム７の中心軸と、ボイスコイルボビン４の中心軸と、振動板８の内周部８ａの中心軸８００と、コーンネック部８ｂの中心軸とが同一軸上に位置するように形成されている。つまりそれぞれが同心状に形成されている。
【００９５】
次にエッジ部９について説明する。エッジ部９は、例えば環形状に形成され、振動板８の動きに対して柔軟に動くように形成されている。この振動板８は、例えば振動板８の音響的な振動の終端としての機能、振動板８の外周部８ｃを支持して規定された位置に保持する機能、振動板８の横揺れに対して制動する機能、振動板８背面の音放射の音波が前面の音波に干渉しないように遮蔽する機能などを有する。
【００９６】
エッジ部９は、詳細には図１４，図１５に示すように、内周側接合部９１、外周側接合部９２、およびロール部９３を有する。またエッジ部９は、内周側接合部９１、外周側接合部９２、およびロール部９３が環状に一体成形されている。ロール部９３は本発明に係る可変形部の一実施形態に相当する。内周側接合部９１は、環形状に形成され、振動板８の外周部８ｃ近傍の接合部８ｅに接着材等により固着されている。上述したように例えば図４（Ａ）に示すように、振動板８の外周部８ｃ近傍の背面側に、エッジ部９の内周側接合部９１が固着されていてもよいし、図４（Ｂ）に示すように、振動板８の外周部８ｃ近傍の正面側に、エッジ部９の内周側接合部９１が固着されてもよい。外周側接合部９２は、環形状に形成されており、フレーム７の上部近傍に接着材等により固着されている。ロール部９３は、内周側接合部９１と外周側接合部９２の間に備えられ、径方向断面が凸形状、凹形状、波形状など各種形状に形成されるとともに、周方向に沿って一周する環形状に形成されている。本実施形態に係るエッジ部９は、エッジ部９の外径９２ａ及び内径９１ａの中心軸、並びにロール部９３の外径部９３ａ及び内径部９３ｂの中心軸が、ボイスコイルボビン４の中心軸８００（ボイスコイルボビン４の振動方向）と同一軸となるように形成されている。
【００９７】
上述したスピーカ装置１００Ｋでは、振動板８Ｋには中央開口部８ａが形成されていたが、この形態に限られるものではない。例えば中央開口部８ａが形成されていなくてもよく、振動源であるボイスコイル５や、ボイスコイル５が巻装（巻回）されたボイスコイルボビン４等が、振動板８Ｋの中央部に接合されていればよい。
【００９８】
また本実施形態では、振動板８Ｋには、中心軸８００に対して半頂角θ１の傾斜面部を備える胴体部８ｄ、いわゆるフラットコーンを採用したがこの形態に限られるものではない。振動板８Ｋとして例えばカーブドコーン、パラボリックコーンなどの各種形状を採用してもよい。
【００９９】
上記構成のスピーカ装置１００Ｋでは、例えばフレーム７に配置された外部端子（不図示）に音声信号を含む電気信号が入力されると、その電気信号が外部端子から錦糸線（不図示）を介してボイスコイル５に入力され、そのボイスコイル５に電磁気作用により駆動力が発生する。ボイスコイル５の駆動力により、図１４（Ｂ）に示すように、ボイスコイルボビン４が中心軸８００（図ではｚ軸方向）に沿って振動する。振動板８Ｋは、内周部８ｂに接合されたボイスコイルボビン４の上端部近傍４ａを介して振動板８Ｋを振動し、振動板８Ｋが振動することにより振動板周囲の空気等の音響媒体を振動させる。
【０１００】
［比較例］
次に比較例として、内周部８ａと外周部８ｃとが同心状に形成されている振動板８Ｊを説明する。比較例としての振動板８Ｊは、図１６（Ａ），（Ｂ）に示すように、振動板８Ｊの中心軸８００と、内周部８ａの中心軸と、外周部８ｃの中心軸と、エッジ部９の中心軸とが、同一軸上に位置するように形成されている。上記構成の振動板８Ｊでは、図１６（Ａ），（Ｂ）に示すように、振動板８Ｊの内周部８ａから、振動板８Ｊの胴体部の傾斜面部に沿った外周部８ｃまでの距離ｄ８ｊは、全周に亘って均一である。詳細には、振動板８Ｊの外周部８ｃは中心軸８００から径方向（ｘ軸）に沿って半径ｒ８Ｊの円形状に形成されている。また例えば振動板８ｊの内周部８ａを基準とした場合に、振動板８Ｊの外周部８ｃまでのｚ軸方向に沿った長さ（高さ）ｈ８Ｊは、全周に亘って一定となっている。上記構成の振動板８Ｊでは、振動板８Ｊの内周部８ａから、振動板８Ｊ胴体部の傾斜面部に沿った外周部８ｃまでの距離ｄ８ｊは、全周に亘って均一であるので、振動板８Ｊ固有の定在波が形成される。このため、中高周波数域にピーク・ディップが生じる場合がある。
【０１０１】
［本発明に係るスピーカ１００Ｋ］
次に本発明に係る特徴部分である振動板８Ｋの反射部等について、図面を参照しながら詳細に説明する。
【０１０２】
本発明の第３実施形態に係るスピーカ装置１００Ｋは、振動板８の定在波を分散させる反射部を備え、この反射部として、振動源（ボイスコイル５が巻装（巻回）されたボイスコイルボビン４）が接合された振動板８の内周部８ｂ（接合位置）から、当該振動板の外周部８ｃでの距離が放射方向で不均一となるように形成されている。
【０１０３】
詳細には振動板８には、図１４，図１５に示すように、正面視した場合（例えば＋ｚ軸側から正面視した場合）に、内周部８ａが円形状に形成され、外周部８ｃが略円形状に形成されており、振動板８の中心軸８００（内周部８ａの中心軸、及びボイスコイルボビン４の中心軸と同一軸）と、外周部８ｃの中心軸８１０Ｋがずれた位置関係となるように形成されている。詳細には、振動板８の中心軸８００と、外周部８ｃの中心軸８１０Ｋとは、互いに規定方向に規定距離だけ離れるとともに平行な位置関係となっている。
【０１０４】
詳細には図１５（Ａ），（Ｂ）に示すように、中心軸８００から径方向（中心軸８００に直交する規定方向、例えばｘ軸方向）に沿った外周部８ｃまでの距離ｒ８が、外周部８ｃの全周のうち少なくとも一部が不均一となっている。具体的には中心軸８００から径方向に沿った外周部８ｃまでの距離ｒ８のうち、＋ｘ軸側に最小距離ｒ８Ｒ、−ｘ軸側では最大距離ｒ８Ｌとなるように外周部８ｃが形成されている。
【０１０５】
また図１５（Ａ），（Ｂ）に示すように、外周部の中心軸８１０Ｋから径方向（中心軸８００に直交する規定方向、例えばｘ軸方向）に沿った外周部８ｃまでの距離ｓ８は、全周に亘って同じ距離となっている。
【０１０６】
また、図１５（Ｂ）に示すように、振動板８の内周部８ａ（コーンネック部８ｂ）を基準とした場合に、ｚ軸（振動板８Ｋの中心軸８００，ボイスコイルボビン４の中心軸）に沿った、外周部８ｃまでの長さ（高さ）ｈ８は、外周部８ｃの全周において少なくも一部が不均一となっている。詳細には例えば振動板８の内周部８ａ（コーンネック部８ｂ）を基準とした場合に、ｚ軸（振動板８Ｋの中心軸８００，ボイスコイルボビン４の中心軸）に沿った、外周部８ｃまでの長さ（高さ）ｈ８は、−ｘ軸側の高さｈ８Ｌより＋ｘ軸側の高さｈ８Ｒが小さい。
【０１０７】
上記構成のスピーカ装置１００Ｋは、振動源であるボイスコイル５が巻装されたボイスコイルボビン４が接合された内周部８ａ（コーンネック部８ｂ）から、振動板８Ｋの胴体部８ｄに沿った放射方向で、振動板８Ｋの外周部８ｃまでの距離ｄ８が不均一となっており、具体的には、振動板８Ｋの内周部８ａから、振動板８Ｋの胴体部８ｄに沿った放射方向で、外周部８ｃまでの距離ｄ８が、＋ｘ軸側で最小距離ｄ８Ｒとなっており、−ｘ軸側で最大距離ｄ８Ｌとなっている。
【０１０８】
また上述した構成の振動板８Ｋは、当該振動板８Ｋの外周部８ｃが、エッジ部９の内周側接合部９１に例えば接着材等を介して接着されるが、図１５（Ａ），（Ｂ）に示すように、外周部８ｃと内周側接合部９１の接合の面積が、周方向に沿って不均一となっている。例えば外周部８ｃと内周側接合部９１の接合面積は、＋ｘ軸側と比べて−ｘ軸側のほうが大きく設定されている。
【０１０９】
上記構成のエッジ部９の形状に限られるものではなく、例えば、振動板８Ｋの外周部８ｃとエッジ部９の内周側接合部９１との接合面積が、全周にわたって均一となるように、振動板８Ｋの外周部８ｃの形状に応じて、エッジ部９の内周側接合部９１の内周形状を形成してもよい。
【０１１０】
［音圧の周波数特性］
本願発明者は、本発明の第３実施形態に係るスピーカ装置１００Ｋの性能を確認するために、図１４に示したスピーカ装置１００Ｋと、図１６に示した比較対象としてのスピーカ装置１００Ｊの周波数特性の測定を行い、それぞれの周波数特性を比較した。
【０１１１】
図１７は、図１４に示した本発明の第３実施形態に係るスピーカ装置１００Ｋの再生音の音圧レベルの周波数特性（実線）と、図１６に示した比較対象としてのスピーカ装置１００Ｊの再生恩の音圧レベルの周波数特性（破線）を示す図である。
【０１１２】
［比較対象のスピーカ装置１００Ｊ］
図１７に示すように、スピーカ装置１００Ｊでは、中高周波域（例えば周波数１ｋＨｚ程度以上）にピーク・ディップが測定された。詳細には約４ｋＨｚに音圧レベルのディップが測定され、約５ｋＨｚにピークが測定され、約６ｋＨｚにディップが測定され、約７ｋＨｚにピークが測定された。この中高周波域のピーク・ディップは、振動板８Ｊに固有の分割共振が一つの要因である。
【０１１３】
［本発明に係るスピーカ装置１００Ｋ］
一方、本発明に係るスピーカ装置１００Ｋでは、図１７に示すように、スピーカ装置１００Ｊと比べて、中高周波域のピーク・ディップが低減した。詳細には、約５ｋＨｚのピークが低減し、約６ｋＨｚのディップの程度が低減し、約７ｋＨｚのピークが低減して、スムースな周波数特性の測定結果が得られた。つまり、スピーカ装置１００Ｋでは、振動板８Ｋの内周部８ａから、境界条件となる振動板８Ｋの外周部８ｃまでの距離が、全周のうち少なくとも一部が不均一となるように形成されているので、振動板８Ｋの共振が分散した結果、再生音の中高周波域のピーク・ディップが低減することを確認することができた。
【０１１４】
以上説明したように、本実施形態に係るスピーカ装置１００Ｋは、振動源であるボイスコイル５が巻装されたボイスコイルボビン４が接合された内周部８ａ（コーンネック部８ｂ，接合位置）から、振動板８Ｋの胴体部８ｄに沿った放射方向で、振動板８Ｋの外周部８ｃまでの距離ｄ８が不均一となっているので、接合位置からの伝播波が外周部で不均一に反射して、振動板８Ｋの定在波の形成を低減することができる。つまり振動板８Ｋに固有の共振を分散することができる。このため、中高周波域での振動板の共振に起因する音質の低下を防止して高品質の音を再生することができる。つまりスムーズな再生音の音圧レベルの周波数特性を得ることができる。
【０１１５】
また本実施形態に係るスピーカ装置１００Ｋは、フレーム７の中心軸と、エッジ部９の中心軸と、ボイスコイルボビン４の中心軸と、振動板８Ｋの内周部８ａの中心軸８００と、コーンネック部８ｂの中心軸とが同一軸上に位置するように形成されている。つまりそれぞれが同心状に形成されている。このため、スピーカ装置１００Ｋでは、上記一般的な同心状のフレーム７、エッジ部９、ボイスコイルボビン４、磁気回路１０１を用いることができるので、製造コストを低減することができる。
【０１１６】
また従来の偏心スピーカ装置では、偏心コーン状振動板に対応した特殊形状のスピーカフレームや磁気回路を新たに製造する必要があり、また組立時に偏心コーン状振動板の偏心方向を考慮した位置決め、つまり方向性管理を行う必要があるが、本発明では方向性管理等の余計な工程を行うことなく、簡単にスピーカ装置１００Ｋを作製することができる。
【０１１７】
つまり、コーン状振動板８Ｋの半頂角θ１が、全周にわたって同一に形成したので、周方向の取り付け方向による指向性に差がでないので、取付方向にも制約を受けることがない。
【０１１８】
上記第３実施形態では、振動板８Ｋの外周部８ｃが、＋ｚ軸方向から正面視した場合に略円形状に形成されていたが、この形態に限られるものではない。例えば振動板８Ｋの外周部８ｃが、＋ｚ軸方向から正面視した場合に略楕円形状に形成されていてもよい。
【０１１９】
また、振動板８Ｌの外周部８ｃの外径形状が、略多角形状であってもよい。この際、振動板の外周部８ｃの外径形状の重心（中心軸）を、ボイスコイルボビン４、フレーム７、エッジ部９等の中心軸８００から、規定方向にずらして形成することにより、振動板の内周部８ａから、胴体部８ｄの放射方向に沿って、外周部８ｃまでの距離が不均一となり、より共振を低減することができ、高品質の音を再生することができる。
【０１２０】
［第８具体例］
図１８は、本発明の第８具体例に係るスピーカ装置１００Ｌの振動板８Ｌを説明するための上面図である。他の実施形態と同様な構成、及び効果については説明を省略する。
【０１２１】
第８具体例に係るスピーカ装置１００Ｌは、例えば図１８に示すように、振動板８Ｌの外周部８ｃの外径形状が略多角形状、詳細には略５角形状に形成されている。振動板８Ｌの外周部８ｃの外周形状（略５角形状）の重心８１０Ｌが、振動板８の中心軸８００（内周部８ａやボイスコイルボビン４等の中心軸）に対して規定方向に規定距離だけずれた位置関係となっている。
【０１２２】
上記構成のスピーカ装置１００Ｌでは、振動板８Ｌの内周部８ａから外周部８ｃまでの距離が放射方向に不均一となるので、その振動板固有の共振を低減することができる。このため高音質の音を再生することができる。
【０１２３】
［第４実施形態］
図１９は、本発明の第４実施形態に係るスピーカ装置１００Ｍを説明するための図である。詳細には図１９（Ａ）はスピーカ装置１００Ｍの上面図であり、図１９（Ｂ）は図１９（Ａ）に示したスピーカ装置１００ＭのＡ−Ａ線に沿った断面図である。上述した実施形態及び具体例と同一の構成や効果などについては説明を省略する。
【０１２４】
本実施形態に係るスピーカ装置１００Ｍは、図１９に示すように、振動板８Ｍの胴体部ｄの中心軸（重心）８１０Ｍが、振動板８Ｍの中心軸８００、詳細には振動板８Ｍの内周部８ａの中心軸８００に対してずれて形成されていることを特徴とする。また本実施形態に係る振動板８Ｍでは、外周部８ｃの中心軸と振動板８Ｍの内周部８ａの中心軸８００とが一致している。
【０１２５】
スピーカ装置１００Ｍでは、詳細には図１９（Ａ），（Ｂ）に示すように、振動板８Ｍの胴体部８ｄを、中心軸８００に直交する平面にて断面をとった場合に、その振動板８Ｍの胴体部８ｄの外径形状の重心８１０Ｍが、振動板８Ｍの内周部８ａ又は外周部８ｃの中心軸８００に対して、規定方向に規定距離だけずれた形状に振動板８Ｍが形成されている。
【０１２６】
具体的には、振動板８Ｍの中心軸８００（内周部８ａ，外周部８ｃの中心軸）上において、例えば図１９（Ａ），（Ｂ）に示すように、点ａでは、中心軸８００に直交する平面にて断面をとった場合に、外周部８ｃが断面内に含まれる。
【０１２７】
点ａを含むとともに中心軸８００に直交する平面による、胴体部８ｄの断面外径形状の重心８１０Ｍａは、中心軸８００と一致する。
【０１２８】
点ｂを含むとともに中心軸８００に直交する平面による、胴体部８ｄの断面外径形状の重心８１０Ｍｂは、規定方向（例えばｘ軸方向）に規定距離だけずれている。
【０１２９】
中心軸８００上の点ｃ、点ｄ、点ｅでも略同様に、胴体部８ｄの断面外径形状の重心８１０Ｍｃ，重心８１０Ｍｄ，重心８１０Ｍｅについても同様に、中心軸８００から規定距離だけずれて形成される。
【０１３０】
そして点ｆを含むとともに中心軸８００に直交する平面による、胴体部８ｄの断面外径形状の重心８１０Ｍｆは、中心軸８００と一致する。
【０１３１】
つまり、上記構成の振動板８Ｍでは、図１９（Ａ），（Ｂ）に示すように、外周部８ｃでは、中心軸８００に直交する平面による、断面外径形状の重心８１０Ｍａが中心軸８００と一致し、内周部８ａでは断面外径形状の重心８１０Ｍｆが中心軸と一致している。一方、内周部８ａと外周部８ｃ間の胴体部８ｄにおける、中心軸８００に直交する平面による、断面外径形状の重心８１０Ｍは、少なくとも一部が中心軸８００からずれて形成されている。
【０１３２】
上記構成のスピーカ装置１００Ｍでは、振動板８Ｍの内周部８ａから、胴体部８ｄに沿って外周部８ｃまでの距離が、全周にわたって不均一となるので、振動板８Ｍの共振が分散されて、中高周波域のピーク・ディップを低減することができる。
【０１３３】
また、上記構成のスピーカ装置１００Ｍでは、エッジ部９の中心軸と、振動板８の内周部８ａの中心軸８００と、コーンネック部８ｂの中心軸と、外周部８ｃの中心軸とが同一軸上に位置するように形成されている。つまりそれぞれが同心状に形成されているので、一般的な同心状のエッジ部９、磁気回路１０１等を用いることができるので、製造コストを低減することができる。また振動板８Ｍの内周部８ａや外周部８ｃが同心状に形成されているので、方向性管理等の余計な工程を行うことなく、簡単にスピーカ装置１００Ｍを作製することができる。
【０１３４】
以上説明したように、本発明に係るスピーカ装置では、外周部８ｃがスピーカフレームに支持されるコーン状の振動板８と、振動板８に接合された振動源（ボイスコイル５，ボイスコイルボビン４）とを備え、振動板８は、振動源からの伝搬波を反射する反射部（リブ８１や外周部８ｃ）を周方向に沿って備え、振動源と振動板の接合位置（内周部８ａ）から反射部までの距離が放射方向で不均一となるように、反射部が形成されているので、コーン状振動板の固有の定在波の形成を低減して、高域特性のピーク・ディップを低減することができ、高品質の再生音を発生することができる。
【０１３５】
また高周波域のピーク・ディップを低減することで、周波数特性（ｆ特性）を得ることができ、高品質の再生音を発生することができる。
【０１３６】
また従来のコーンネックを、コーン中心からずらした振動板（オブリコーン）などでは、スピーカ組み込み時において特殊なフレームを用意することや、コーンの方向性の管理を行う必要があるが、一方、本発明では、一般的な同心状のフレームや磁気回路、ボイスコイルボビン、エッジ部、スピーカフレーム等を用いて、簡単に作製することができる。
【０１３７】
また、本発明に係るスピーカ装置では、バランサ等の不要な構成を設けることなく単純な構成により高音質の音を再生することができる。
【０１３８】
なお、本発明は上述した実施形態に限られるものではない。上述した実施形態や具体例を組み合わせてもよい。また振動板の形状は、円形状コーン形状に限られるものではない。
【図面の簡単な説明】
【０１３９】
【図１】本発明の第１実施形態に係るスピーカ装置１００を説明するための図である。（Ａ）はスピーカ装置１００の上面図であり、（Ｂ）は（Ａ）に示したスピーカ装置１００のＡ−Ａ線に沿った断面図である。
【図２】本発明の第１実施形態に係るスピーカ装置１００の動作及び効果を説明するための図である。（Ａ）は図１（Ａ）に示したスピーカ装置の上面図であり、（Ｂ）は（Ａ）に示したスピーカ装置の振動板近傍のＡ−Ａ線に沿った拡大断面図である。
【図３】（Ａ）は比較例のスピーカ装置１００ｊの上面図であり、（Ｂ）は（Ａ）に示した比較例のスピーカ装置１００ｊの振動板付近のＡ−Ａ線に沿った拡大断面図である。
【図４】（Ａ），（Ｂ）は振動板８とエッジ部９との接合形態を説明するための図である。
【図５】（Ａ）〜（Ｄ）はリブの変形例を説明するための断面図である。
【図６】（Ａ），（Ｂ）は本発明の第１具体例に係る振動板８Ａを説明するための図である。
【図７】（Ａ），（Ｂ）は本発明の第２具体例に係る振動板８Ｂを説明するための図である。
【図８】本発明の第２実施形態に係るスピーカ装置を説明するための図である。図８（Ａ）はスピーカ装置の上面図であり、（Ｂ）は（Ａ）に示したスピーカ装置のＡ−Ａ線に沿った断面図である。
【図９】本発明の第３具体例に係るスピーカ装置１００Ｄを説明するための図である。（Ａ）はスピーカ装置１００Ｄの上面図であり、（Ｂ）は（Ａ）に示したスピーカ装置のＡ−Ａ線に沿った断面図である。
【図１０】本発明の第４具体例に係るスピーカ装置１００Ｅを説明するための図である。（Ａ）はスピーカ装置１００Ｄの上面図であり、（Ｂ）は（Ａ）に示したスピーカ装置１００ＥのＡ−Ａ線に沿った断面図である。
【図１１】本発明の第５具体例に係るスピーカ装置１００Ｆを説明するための図である。（Ａ）はスピーカ装置１００Ｆの上面図であり、（Ｂ）は（Ａ）に示したスピーカ装置１００ＦのＡ−Ａ線に沿った断面図である。
【図１２】本発明の第６具体例に係るスピーカ装置１００Ｇを説明するための図である。（Ａ）はスピーカ装置１００Ｇの上面図であり、（Ｂ）は（Ａ）に示したスピーカ装置１００ＧのＡ−Ａ線に沿った断面図である。
【図１３】本発明の第７具体例に係るスピーカ装置１００Ｈを説明するための図である。（Ａ）はスピーカ装置１００Ｈの上面図であり、（Ｂ）は（Ａ）に示したスピーカ装置１００ＨのＡ−Ａ線に沿った断面図である。
【図１４】本発明の第３実施形態に係るスピーカ装置１００Ｋを説明するための図である。図１４（Ａ）はスピーカ装置１００Ｋの上面図であり、（Ｂ）は（Ａ）に示したスピーカ装置１００ＫのＡ−Ａ線に沿った断面図である。
【図１５】本発明の第３実施形態に係るスピーカ装置１００Ｋの動作及び効果を説明するための図である。（Ａ）は図１４（Ａ）に示したスピーカ装置１００Ｋの上面図であり、（Ｂ）は（Ａ）に示したスピーカ装置１００Ｋの振動板近傍のＡ−Ａ線に沿った拡大断面図である。
【図１６】（Ａ）は比較例のスピーカ装置１００Ｊの上面図であり、（Ｂ）は（Ａ）に示した比較例のスピーカ装置１００ｊの振動板付近のＡ−Ａ線に沿った断面図である。
【図１７】図１４に示した本発明の第３実施形態に係るスピーカ装置１００Ｋの再生音の音圧レベルの周波数特性（実線）と図１６に示した比較対象としてのスピーカ装置１００Ｊの再生恩の音圧レベルの周波数特性（破線）を示す図である。
【図１８】本発明の第８具体例に係るスピーカ装置１００Ｌの振動板８Ｌを説明するための上面図である。
【図１９】本発明の第４実施形態に係るスピーカ装置１００Ｍを説明するための図である。（Ａ）はスピーカ装置１００Ｍの上面図であり、（Ｂ）は（Ａ）に示したスピーカ装置１００ＭのＡ−Ａ線に沿った断面図である。
【符号の説明】
【０１４０】
１  ヨーク
１ａ  ポール部
１ｂ  基端部
１ｃ  ボトムヨーク
２  磁石
３  プレート
４  ボイスコイルボビン
５  ボイスコイル
６  ダンパ部材
７  スピーカフレーム（フレーム）
８  振動板
９  エッジ部
８１  リブ
９１  内周側接合部
９２  外周側接合部
９３  ロール部
１００  スピーカ装置
１０１  磁気回路
１０２  磁気ギャップ
８００  スピーカ振動板の中心軸（振動板の内周部の中心軸、振動板の外周部の中心軸）
８１１，８１２，８１３  リブ
【図１】
2007306237.tif 000003
【図２】
2007306237.tif 000004
【図３】
2007306237.tif 000005
【図４】
2007306237.tif 000006
【図５】
2007306237.tif 000007
【図６】
2007306237.tif 000008
【図７】
2007306237.tif 000009
【図８】
2007306237.tif 000010
【図９】
2007306237.tif 000011
【図１０】
2007306237.tif 000012
【図１１】
2007306237.tif 000013
【図１２】
2007306237.tif 000014
【図１３】
2007306237.tif 000015
【図１４】
2007306237.tif 000016
【図１５】
2007306237.tif 000017
【図１６】
2007306237.tif 000018
【図１７】
2007306237.tif 000019
【図１８】
2007306237.tif 000020
【図１９】
2007306237.tif 000021